(57)【要約】【課題】密封包装体の識別加工を追加工程とせずに一連の熱溶着作業の中で行うことができ、低コストとなる密封包装体およびその成形方法を提供する。【解決手段】少なくとも内面が熱溶融性フィルム２で形成され、内容物３を充填し該フィルム２の周縁部１ａ〜１ｄを溶着して袋状に成形した密封包装体１であって、内容物３の違いを識別するための識別形状を周縁部１ｄの溶着により成形したことを特徴とする。この構成により、密封包装体の識別加工を追加工程とせずに一連の熱溶着作業の中で行うことができるので、設備コストが少なくて済む。また、識別形状を溶着により成形するので、歩留まりはよく、かつ多様な形状が成形可能となる。【選択図】　図１
2004051110.tif 000002
【特許請求の範囲】
【請求項１】
少なくとも内面が熱溶融性フィルムで形成され、内容物を充填し該フィルムの周縁部を溶着して袋状に成形した密封包装体であって、
前記内容物の違いを識別するための識別形状を前記周縁部の溶着により成形したことを特徴とする密封包装体。
【請求項２】
前記識別形状は、前記周縁部を形成する４辺のうち少なくとも１辺を他の辺より幅広に溶着して成形された請求項１に記載の密封包装体。
【請求項３】
前記識別形状は、前記周縁部を形成する４辺のうち少なくとも１辺を波型状に溶着して成形された請求項１に記載の密封包装体。
【請求項４】
少なくとも内面が熱溶融性フィルムで形成され、内容物を充填し該フィルムの周縁部を溶着して袋状に成形する手順と、
前記周縁部の溶着時に、前記内容物の違いを識別するための識別形状を前記周縁部の溶着により成形する手順と、
を備えたことを特徴とする密封包装体の成形方法。
【発明の詳細な説明】
【０００１】
【発明の属する技術分野】
本発明は、包装体内に内容物を充填し、四方を密封したフィルム材質で形成してなる密封包装体に関するものであって、密封包装体の仕分け作業時、箱へのセット作業時における異品種混入と、使用時における混同とを防止する密封包装体及びその成形方法に関するものである。
【０００２】
【従来の技術】
シャンプー、リンス、ボディソープ剤等の内容物を１回使用分だけ充填した簡易の包装容器（包装体）が経済的、省資源的であるために多くの商品や試供品等に汎用されている。この包装容器は少なくとも内面が熱溶融性フィルムで構成され、該フィルムの周縁部が熱溶着されて薄い柔軟性のある包装となっている。
【０００３】
すなわち、密封包装体を生産する工程を概略説明すると、（１）　２個のロール状の袋部材（例えば、熱溶融性フィルム）から２枚を引き出して重ね、内容物の封入口を残して前記引き出したフィルムの周縁部を熱溶着する工程、（２）　前記封入口に充填機のノズルを挿入し、内容物を充填する工程、（３）　前記封入口を熱溶着する工程、（４）　密封包装体のシーム部となる周縁部を切断して密封包装体を１個ずつ分離する工程、となる。
【０００４】
ところで、かかる密封包装体において内容物の表示は密封包装体の表面に文字や模様を印刷することによって視覚的に判別し得るようにして販売されているが、略四辺形の実質同一形状のものが用いられている場合が多く、密封包装体の仕分け作業時や複数の密封包装体を一つの箱に収納するセット作業時に、収納箱の開口部から見える密封包装体の外観等によって作業が正確に行われたか否かを正確に識別することが困難である。また、使用者が、例えば入浴中に洗髪用シャンプーとリンスとボディソープ等の何れかを使用する場合、密封包装体の形状が同一であるために混同して使用する恐れがある。
【０００５】
そこで、実質同一形状の密封包装体を識別するために特開平１０−１１４３４８号の発明が公開されている。前記特開平１０−１１４３４８号の発明は、密封包装体の溶着周縁部（縦方向あるいは横方向）に波型縁部や凸状部等を設けて、波型や凸状を触れることにより違いを判別するものである。
【０００６】
【発明が解決しようとする課題】
しかしながら、密封包装体の溶着周縁部を波型にカットする切断作業や、凸状を成形する成形作業は、周縁部を熱溶着しながら内容物を充填する一連の作業とは異なるので、前述の（４）　の分離工程の後、波型カット作業や凸状成形作業を追加工工程として設置しなければならない。従って、設備コストが多くかかってしまう。また、波型カット作業や凸状成形作業を行うと歩留まりは悪くなってしまう。
【０００７】
本発明は、密封包装体の識別加工を追加工程とせずに一連の熱溶着作業の中で行うことができ、設備コストがかからない、密封包装体およびその成形方法を提供することを課題とする。
【０００８】
【課題を解決するための手段】
上記課題を解決するために、本発明の密封包装体およびその成形方法は、以下のような構成をとる。
すなわち、本発明の密封包装体は、少なくとも内面が熱溶融性フィルムで形成され、内容物を充填し該フィルムの周縁部を溶着して袋状に成形した密封包装体であって、前記内容物の違いを識別するための識別形状を前記周縁部の溶着により成形したことを特徴とする。
【０００９】
また、本発明の密封包装体において、前記識別形状は、前記周縁部を形成する４辺のうち少なくとも１辺を他の辺より幅広に溶着して成形された構成のものも例示でき、また、前記識別形状は、前記周縁部を形成する４辺のうち少なくとも１辺を波型状に溶着して成形された構成のものも例示できる。
【００１０】
更に、本発明の密封包装体の成形方法は、少なくとも内面が熱溶融性フィルムで形成され、内容物を充填し該フィルムの周縁部を溶着して袋状に成形する手順と、前記周縁部の溶着時に、前記内容物の違いを識別するための識別形状を前記周縁部の溶着により成形する手順と、を備えたことを特徴とする。
【００１１】
この構成によれば、密封包装体の識別加工を追加工程とせずに一連の熱溶着作業の中で行うことができるので、設備コストが少なくて済む。また、識別形状を溶着により成形するので、歩留まりはよく、かつ多様な形状が成形可能となる。
また、以上の各構成は、可能な限り互いに組み合わせることができる。
【００１２】
【発明の実施の形態】
以下、本発明による密封包装体の一実施の形態について図面を参照しつつ説明する。
本発明の密封包装体１は、図１に示すように、内面が熱溶融性フィルムで形成された袋部材２と、この袋部材２に充填する内容物３と、袋部材２の周縁部を溶着したシール部１ａ〜１ｄとを備えている。そして、シール部１ｂ，１ｄの上方端部には内容物３を使用する際に密封包装体１を開封するための開封部４がそれぞれ凹設されている。また、密封包装体１の表面には、文字や模様が直接印刷（図面では省略）されている。これら密封包装体１は、最内層が低密度ポリエチレンフィルム、中間層がアルミニウム箔、最外層が低密度ポリエチレンからなる積層フィルムから形成されている。
【００１３】
また、密封包装体１には、内容物３の違いを識別するための識別形状が周縁部の溶着により成形されている。この識別形状は、周縁部を形成するシール部１ａ〜１ｄのうちシール部１ｄを他のシール部１ａ〜１ｃより幅広（Ｌ１＜Ｌ２：Ｌ１はシール部１ｂの幅を示し、Ｌ２はシール部１ｄの幅を示す）に溶着して成形されている。そして、シール部１ｄを幅広にすることで、使用者に他の内容物が充填された密封包装体との違いを喚起させる。
【００１４】
また、第２の実施の形態として、図２に示すように、識別形状が周縁部を形成するシール部１ａ〜１ｄのうちシール部１ｄを波型状に溶着して成形された構成のものも例示できる。
【００１５】
すなわち、密封包装体１には、内容物３の違いを識別するための識別形状がシール部１ｄの溶着により成形されている。この識別形状は、シール部１ｄを内容物３側に向かって波型状となるように溶着して成形されている。そして、シール部１ｄを幅波型状に成形することで、使用者に他の内容物が充填された密封包装体との違いを喚起させる。そして、第２の実施の形態によれば、それぞれ別個に充填された実質同一形状の密封包装体の仕分け作業や、箱に収納するセット作業の際の異品種混入を確実に防止することが可能となる。
【００１６】
なお、上記実施形態においては、識別形状としてのシール部を縦方向に設けた場合で説明したが、識別形状は水平方向に設けても、または斜め方向に設けても良い。また、波型状は、図２に示す凸凹形状に限定されるものではなく、多様な模様も本発明に含まれる。
【００１７】
更に、第３の実施の形態として、図３に示すように、１つの密封包装体１１に複数種類の内容物（例えば、シャンプー３Ａとリンス３Ｂ）を密封した場合を説明する。
【００１８】
すなわち、この密封包装体１１は、シャンプー３Ａを充填する収納部１３Ａと、リンス３Ｂを充填する収納部１３Ｂとが袋形状となるように、後でシール（溶着）するシール部１１ｅの位置を除き予めシール部１１ａ〜１１ｄを溶着させる。そして、開口しているシール部１１ｅの位置の方からそれぞれの内容物に応じた充填機のノズル口１４Ａ，１４Ｂを挿入し、内容物を充填する。内容物充填後、シール部１１ｅを溶着させる。
【００１９】
また、この密封包装体１１は、シール部１１ａ〜１１ｄを溶着させる際、収納部１３Ａのシール部１１ａ側に凸部６を１カ所設け、収納部１３Ｂのシール部１１ａ側に凸部７ａ，７ｂを２カ所設ける。これら凸部６，７ａ，７ｂは、シール部１１ｂ，１１ｄ側に設けられた開封部４から密封包装体１１を開封した場合に内容物を排出するノズル口の役割を果たす。そして、使用者は凸部６が１カ所設けられた収納部１３Ａをシャンプー３Ａ側と識別し、凸部７ａ，７ｂが２カ所設けられた収納部１３Ｂをリンス３Ｂと識別する。すなわち、この第３の実施の形態では、ノズル口の個数によって内容物の違いを明確に識別できるので、ノズル口の個数が識別形状といえる。そして、第３の実施の形態によれば、使用時にも同封された内容物の違いを明確に識別することができ、両者の混同による問題の発生を防止することができる。
【００２０】
なお、本発明における密封包装体とは、液体、粉体等の内容物を充填したフィルム材質からなる袋詰め包装品である。この密封包装体は、例えば、巻取りフィルム包装材料から製袋、内容物の充填、次いで電熱、高周波、超音波を用いた溶着による封袋、裁断、排出する方式の充填包装機械にて製造することができる。
【００２１】
密封包装体の材質は、適度の柔軟性を有する主にプラスチック積層フィルムからなり、例えば、最外層がポリエステル、ナイロン、ポリエチレン等からなり、最内層がポリエチレン、ポリプロピレン等の溶着可能な熱溶融性フィルムからなり、必要に応じて中間層としてアルミニウム箔、金属蒸着プラスチックフィルム等を用いた積層フィルムからなる。そして、この密封包装体の周縁部の溶着による封袋の形式としては、３方シールタイプ、４方シールタイプ、ピロータイプ（封筒貼り、ガセット付き）、スタンディングタイプ（自立式密封包装体）等の封袋形式が挙げられる。
【００２２】
また、密封包装体の一部に、内容物を取り出すための栓体を固着した密封包装体も、本発明では適用可能である。しかして、使用時には、密封包装体の一部を切断して開封し、または栓体を開栓して内容物を密封包装体から吐出して使用するか、場合によっては密封包装体の内容物を他のボトル等の補充用容器に移し替えて使用する。
【００２３】
本発明の密封包装体に充填される内容物の例としては、例えば毛髪化粧料としては、シャンプー、リンス、トリートメント、ヘアートニック、整髪剤（ヘアーリクイド、ヘアークリーム）が挙げられる。また、基礎化粧品としては、スキンローション、スキンクリーム、顆粒状美白剤、その溶解液）が挙げられる。更に、脱色剤としては、酸化剤（過酸化水素水）、アルカリ剤（アンモニア水等）が挙げられる。更にまた、染毛剤としては、酸化染料、酸化剤（過酸化水素水）が挙げられる。更にまた、パーマネントウェーブ剤としては、還元剤（チオグリコール酸等）、酸化剤（過酸化水素水）等が挙げられる。
【００２４】
本発明の密封包装体は、上記化粧品、医薬部外品以外に、医薬、食品、その他の生活雑貨用品にも適用が可能である。
【００２５】
更に、本発明の密封包装体の成形方法は、少なくとも内面が熱溶融性フィルムで形成され、内容物を充填し該フィルムの周縁部を溶着して袋状に成形する手順と、前記周縁部の溶着時に、前記内容物の違いを識別するための識別形状を前記周縁部の溶着により成形する手順と、を備える。
【００２６】
【発明の効果】
本発明によれば、密封包装体の識別加工を追加工程とせずに一連の熱溶着作業の中で行うことができるので、設備コストが少なくて済む。また、識別形状を溶着により成形するので、歩留まりはよく、かつ多様な形状が成形可能となる。
【００２７】
また、本発明によれば、それぞれ別個に充填された実質同一形状の密封包装体の仕分け作業や、箱に収納するセット作業の際の異品種混入を確実に防止することが可能となる。また、使用時にも内容物を明確に識別することができ、両者の混同による問題の発生を防止することができる。
【図面の簡単な説明】
【図１】本発明による密封包装体の第１の実施の形態を示す全体の外観図である。
【図２】本発明による密封包装体の第２の実施の形態を示す全体の外観図である。
【図３】本発明による密封包装体の第３の実施の形態を示す全体の外観図である。
【符号の説明】
１，１１……密封包装体
１ａ〜１ｄ……シール部
２……袋部材（熱溶融性フィルム）
３……内容物
４……開封部
５……波型シール部
１１ａ〜１１ｅ……シール部
【図１】
2004051110.tif 000003
【図２】
2004051110.tif 000004
【図３】
2004051110.tif 000005